(57)【要約】【課題】  鉄骨構造建物の外側への突出量を増やすことなく、重量増加も抑えて効果的な遮音効果を発揮できる遮音構造を提供すること。【解決手段】  内部に音源を有し、主柱４及び梁３の外側を取り巻くように取付けた胴縁９の外側に外装板２１を支持した鉄骨構造物において、前記外装板２１から内方に離間するように前記胴縁９に遮音板２５を取付けて遮音壁２８を形成し、この遮音壁２８によって騒音が外部に漏れるのを効果的に抑制する。【選択図】  図１
2008297873.tif 000002
【特許請求の範囲】
【請求項１】
内部に音源を有し、主柱及び梁の外側を取り巻くように取付けた胴縁の外側に外装板を支持した鉄骨構造物において、
前記外装板から内方に離間させて前記胴縁に遮音板を取付けて遮音壁を形成したことを特徴とする鉄骨構造建物における遮音構造。
【請求項２】
前記遮音板を、前記胴縁の内側に取付けて遮音壁を形成した請求項１に記載の鉄骨構造建物における遮音構造。
【請求項３】
前記遮音板を、鉛直方向に延びる柱間に取付けて遮音壁を形成した請求項１又は請求項２に記載の鉄骨構造建物における遮音構造。
【請求項４】
前記鉛直方向に延びる柱に縦枠体を設け、水平方向に延びる梁に横枠体を設け、該縦枠体と横枠体と前記胴縁とで前記遮音板を支持する構成とした請求項１〜３のいずれか１項に記載の鉄骨構造建物における遮音構造。
【請求項５】
前記遮音壁を、窯業系外壁材の遮音板を組合わせて形成した請求項４に記載の鉄骨構造建物における遮音構造。
【発明の詳細な説明】
【技術分野】
【０００１】
本発明は、内部に音源となる機械式駐車装置等を内蔵する鉄骨構造骨組体で形成された鉄骨構造建物における遮音構造に関するものである。
【背景技術】
【０００２】
従来、内部に音源となる機械式駐車装置等を内蔵し、鉄骨構造骨組体で構成された塔状建物（この明細書及び特許請求の範囲の書類中では「鉄骨構造建物」といい、立体駐車塔の場合は「立駐塔」という）を設置する場合、周辺の安全衛生環境保護のために、外部への騒音漏洩を避けた遮音構造とする場合がある。特に、隣接して居住建物がある場合、騒音漏洩を可能な限り抑制することが求められる。
【０００３】
図７は、機械式駐車装置を内蔵した鉄骨構造建物の設置例を示す全体斜視図である。この例の鉄骨構造建物はエレベータ式の機械式駐車装置１０１を内蔵した立駐塔１０２であり、その周辺環境としては、立駐塔１０２の前側、後側、左側が居住建物Ｂ１，Ｂ２，Ｂ３で囲まれ、右側に車道路Ｒがある。後側の居住建物Ｂ１は立駐塔１０２よりも高層であり、左側から前側に連なる居住建物Ｂ２，Ｂ３は立駐塔１０２の半分程度の高さしかない低層である。なお、この明細書及び特許請求の範囲の書類中では、図７に示す前後左右の方向に基づいて説明する。
【０００４】
このような立駐塔１０２としては、一般的に、外壁に薄肉の鋼板を祈曲げて成形した鋼板外装パネルが使用されることが多い。しかし、この鋼板外装パネルは薄肉であるため、前記したような周辺環境によっては遮音効果を十分に得ることが難しく、騒音問題を発生する場合がある。
【０００５】
そのため、このような鉄骨構造建物において遮音効果を高めるための手段として、例えば、下記の４つが知られている。
（１）鉄骨構造建物の隣接建物に対面する外壁部分を覆うように遮音壁を設置する（例えば、特許文献１参照）。
（２）鉄骨構造建物の鋼板外装の外側に、遮音効果を高めるために厚さの大きいＡＬＣパネル（Autoclaved Lightweight aerated Concrete Panels）を取り付ける（例えば、特許文献２参照）。
（３）鉄骨構造建物の外装板となる折板の鋼板と遮音材とを貼り付けて一体化したパネルを外装壁として使用する（例えば、特許文献３参照）。
（４）鉄骨構造建物の新設時に外装として、遮音効果の高い重厚なＡＬＣパネルやＰＣコンクリートパネル(Precast Concrete Panels)を採用する（例えば、特許文献４参照）。
【特許文献１】実公平４−４３５５２号公報
【特許文献２】特開平１１−３５０６３２号公報
【特許文献３】特開平１０−１２１６００号公報
【特許文献４】特開平４−２２８７５２号公報
【発明の開示】
【発明が解決しようとする課題】
【０００６】
しかしながら、前記特許文献１のような手段では、遮音壁が鉄骨構造建物の外壁から外側に突出し、隣接建物との距離が近くなり、隣接建物の居住者に圧迫感を生じさせてしまう。その上、鉄骨構造建物の一部が突出して意匠上好ましくないとともに、隣接建物との距離が短くなりすぎる場合がある。
【０００７】
また、前記特許文献２のような手段では、遮音材としてのＡＬＣパネルを鋼板外装の外側から貼り付けるために、鉄骨構造建物周囲に足場を組む必要あり、大工事となる。また、この場合も隣接建物の居住者が圧迫感を生じる。その上、鉄骨構造建物の新設時に既に隣接建物と極めて近接している揚合、足場を組んで作業するこの手段を採用できない場合もある。
【０００８】
さらに、前記特許文献３のような手段では、外装壁全体の厚みが大きくなり、必要最小限に設定された機械式駐車装置の場合、その設置面積に外壁厚さの増加分が加わり、隣接建物との距離が短くなる。また、外装板と遮音板とが一体のパネルのため、遮音効果を高める必要の無い面も一様に貼り付けるので４面全面の壁の厚みが増してしまう。
【０００９】
また、前記特許文献４のような手段では、重厚なＡＬＣパネルやＰＣコンクリートパネルは、鋼板外装（例えば、板厚＝０．５ｍｍ、折り曲げ寸法約２５ｍｍ）に比べ遥かに厚い（例えば、厚さ１００〜６００ｍｍ）ため、足場を組み重機を用いて取り付ける必要があり大工事となる。また、構造体重量が大幅に増加するとともに、これに対し強度的に耐えるように鉄骨主柱や梁等の骨組みも大きくせざるを得なくなり、構成部材の重量増加や費用増加を招く。さらに、前記したように機械式駐車装置の設置面積に、上記骨組み寸法及びパネル壁厚さの増加分が加わって鉄骨造建物全体の設置面積が非常に大きくなる。この設置面積の拡大により、場合によっては駐車場関連法規（道路からの後退距離、隣接建物との空問距離、出入口設置制限等）を充足することができなくなり、その敷地に立駐塔自体の設置が不可能という事態を招くおそれも生じる。
【００１０】
そこで、本発明は、鉄骨構造建物の外側への突出量を増やすことなく、重量増加も抑えて効果的に遮音効果を発揮できる遮音構造を提供することを目的とする。
【課題を解決するための手段】
【００１１】
前記目的を達成するために、本発明は、内部に音源を有し、主柱及び梁の外側を取り巻くように取付けた胴縁の外側に外装板を支持した鉄骨構造物において、前記外装板から内方に離間させて前記胴縁に遮音板を取付けて遮音壁を形成している。音源としては、例えば、機械式駐車装置等の可動部によって生じるメカニカルノイズ等がある。また、この明細書及び特許請求の範囲の書類中における「遮音」は、音の伝播を抑制える「吸音」も含む。これにより、鉄骨構造建物の外装板から外側に突出することなく遮音板を取付けて遮音壁を形成することができ、この遮音壁によって音が外部に漏れるのを効果的に抑制することができる。
【００１２】
また、前記遮音板を、前記胴縁の内側に取付けて遮音壁を形成してもよい。これにより、胴縁の厚み分で外装板と遮音板との間に空間を形成して外装板と遮音壁とで二重壁を形成することができ、この空間でも騒音を減衰させることができる。
【００１３】
さらに、前記遮音板を、鉛直方向に延びる柱間に取付けて遮音壁を形成してもよい。これにより、鉄骨構造建物の柱を避けた取付け容易な部分に遮音板を設けて遮音壁を形成することができる。
【００１４】
また、前記鉛直方向に延びる柱に縦枠体を設け、水平方向に延びる梁に横枠体を設け、該縦枠体と横枠体と前記胴縁とで前記遮音板を支持する構成としてもよい。これにより、枠体に遮音板を嵌め込むように設けることができ、遮音板の取付けを容易に行うことができる。
【００１５】
さらに、前記遮音壁を、窯業系外壁材の遮音板を組合わせて形成してもよい。これにより、遮音効果の高い窯業系外壁材の遮音板を組合わせて枠体に嵌め込むことで遮音壁を形成することができ、作業性良く遮音壁を形成することができる。
【発明の効果】
【００１６】
本発明は、以上説明したような手段により、鉄骨構造建物の外側への突出量を増やすことなく、重量増加を抑えて鉄骨構造建物内の騒音が外部へ漏れるのを抑制することが可能となる。
【発明を実施するための最良の形態】
【００１７】
以下、本発明の一実施の形態を図面に基づいて説明する。図１は、本発明の実施の形態を示す鉄骨構造建物の正面図であり、図２は、図１に示すII−II矢視拡大断面図、図３は、図２に示すIII部拡大平面図、図４(a) は、図２に示す鉄骨構造建物の内面の拡大斜視図であり、図４(b) は、(a) のIV−IV断面図である。図５(a) 〜(c) は、図２の鉄骨構造建物に設ける遮音板の例を示す拡大断面図であり、図６は、図３に示すVI部拡大平面図である。図１の立駐塔２は、下半部は外装板を一部破断して遮音板を露出させた状態で示し、上半部は外装板と遮音板を外して鉄骨骨組み状態で示している。この立駐塔２は、音源となるエレベータ式の機械式駐車装置１を内蔵している。また、この立駐塔２は、前記図７に示すように、後側に高層の居住建物Ｂ１が設けられ、左側と前側とに低層の居住建物Ｂ２（Ｂ３は省略）が設けられている環境を例にしている。なお、図３、図４(a),(b) では、駐車装置の構造物を除いて示している。
【００１８】
図１，２に示すように、機械式駐車装置１の鉄骨構造骨組体で形成された立駐塔２は、水平方向に設けられた梁３と、鉛直方向に設けられた主柱４と間柱５と棚柱６とによって塔状に骨組みされている。また、棚柱６と主柱４との間には棚レール７が設けられている。さらに、梁３と主柱４との間には補強用のブレース８が設けられている。また、鉛直方向に設けられた主柱４と間柱５と棚柱６との外側には、水平方向に胴縁９が設けられている。胴縁９は、立駐塔２の主柱４と梁３との外側を取り巻くように設けられており、鉛直方向に所定間隔で複数本が設けられている。これらの構成が、立駐塔２の主要な構成である。そして、胴縁９の外側に外装板２１が取付けられている。この外装板２１は、鋼板折板である。
【００１９】
さらに、前記棚レール７の上部には、車両Ｍを搭載するパレット１１が格納されている。このパレット１１を格納する部分が駐車棚１０であり、主柱４と棚柱６との間の鉛直方向に複数段が形成されている。駐車棚１０は立駐塔２の左右両側に設けられ、これら左右の駐車棚１０の間がエレベータ１２を昇降させるエレベータ昇降路１３となっている。立駐塔２の上部には昇降駆動源１４が設けられており、この昇降駆動源１４による昇降用ワイヤロープ１５の巻上げ、巻下げ操作によって、エレベータ１２がガイド柱２４（図２）に案内されてエレベータ昇降路１３を昇降するようになっている。なお、昇降用ワイヤロープ１５の一端が接続されたエレベータ１２の反対側端部には、所定重量のカウンタウエイト２２が設けられている。
【００２０】
立駐塔２は、車道路Ｒに通じる部分が入出庫階１６であり、扉１７が設けられた入出庫口２０が設けられている。入出庫階１６には、前記エレベータ１２が下降するスペースとなるピット１８が形成されている。また、扉１７の側方には、運転操作盤１９が設けられ、上方には庇２３が設けられている。
【００２１】
そして、前記胴縁９の内側に遮音板２５が設けられている。図３、図４(a),(b) に示すように、遮音板２５は、前記主柱４と間柱５と梁３との間に設けられており、この実施の形態では、主柱４と間柱５と梁３との間に設けられた矩形状の枠体３６と前記胴縁９と間に設けられている。枠体３６は、主柱４と間柱５とに設けられた鉛直方向の縦枠体３７と、梁３に設けられた水平方向の横枠体３８とによって、矩形区画（図では、梁３の上面に設けられた横枠体３８を示し、梁３の下面に設けられた横枠体３８は省略している）に形成されている。縦枠体３７と横枠体３８とは断面Ｌ形に形成され、一辺を内向きにした状態で前記矩形区画が形成されている。これらの縦枠体３７と横枠体３８とは、断面Ｌ形の取付金具３９によって主柱４と間柱５と梁３とに取付けられている。
【００２２】
このように縦枠体３７と横枠体３８とで形成された枠体３６の内向きの辺と前記胴縁９の内面とによって遮音板２５を取付ける空間が形成されており、この空間に前記遮音板２５が取付けられている。この実施の形態の遮音板２５は、窯業系外壁材で縦方向に複数の中空部が形成された壁材で、所定の大きさのパネル状に形成され、横方向の端部に嵌合部３０が設けられたものを採用している。この遮音板２５は図５(a) に示すような断面であり、窯業系外壁材の中空部が形成されたものを採用することにより、高い遮音効果や耐久性を発揮できるようにしている。この遮音板２５は一例であり、図５(b) に示すように、内部がハニカム構造で形成されたパネルのような遮音板２６や、図５(c) に示すように、無機質混入塩化ビニール発泡シートを石膏ボードでサンドイッチ状に挟んで形成されたパネルのような遮音板２７でもよい。遮音板としては、例えば、厚さが約２０ｍｍ程度の薄形軽量パネルで遮音性能（吸音性能）の高いものであれば種々の材質・形状のものが採用でき、これらの実施の形態に限定されるものではない。
【００２３】
この遮音板２５の取付け方法（施工法）としては、図３，４に示すように、この実施の形態では、主柱４と梁３と間柱５とで形成された矩形区画ごとに、外装板２１を取付ける胴縁９の内側に前記枠体３６を配置し、この枠体３６内に遮音板２５を順次入れて隣接する遮音板２５の嵌合部３０を重合させる。そして、図４(a),(b) に示すように、各遮音板２５は、所定間隔で胴縁９に塔内側からビス２９で固定される。これにより、立駐塔２に一体的な遮音壁２８が形成される。また、このようにして取付けられた遮音板２５の遮音壁２８により、外装板２１との間に胴縁９の分の空間Ｓを設けた二重壁構造が形成されている。さらに、この例では、高層の居住建物Ｂ１が存在する立駐塔２の後側には全面に遮音板２５が設けられ、低層の居住建物Ｂ２，Ｂ３が存在する立駐塔２の前側と左側とには中高さまでに遮音板２５が設けられている。右側は道路であるため、遮音板２５は設けられていない（図２）。この遮音板２５の貼り付け工法も、この実施の形態以外の工法であってもよく、特に限定されるものではない。
【００２４】
また、図６に示すように、前記外装板２１は、胴縁９に設けられた取付金具３１によって立駐塔２の内部から固定されている。この取付金具３１は、折り曲げ形成された外装板２１の端部を重ね合せ、その重合部３２に係止金具３３の先端を係止し、塔内から係止金具３３の後端のナット３４を締めることによって胴縁９側に押圧して固定するものである。この取付金具３１は一例であり、他の取付金具や取付方法で外装板２１を胴縁９に取付けるようにしてもよい。外装板２１も、この例のような鋼板折板に限定されるものではない。
【００２５】
以上のように構成された鉄骨構造建物における遮音構造４０によれば、音源となる内部の機械式駐車装置１で発生した音を、胴縁９の内側に設けられた遮音壁２８によって外部へ漏れるのを効果的に抑制することが可能となる。また、この遮音壁２８から音が漏れたとしても、この音は胴縁９の幅分の空間Ｓで減衰された後に外装板２１に達するので、外装板２１から外部に漏れる音はさらに減衰された小さな音となり、効果的な遮音効果を発揮することができる。
【００２６】
しかも、遮音するための構成を立駐塔２の外装板２１から外部に突出させることがないので、周辺建物との距離も保って効果的な遮音効果を奏する鉄骨構造建物を構成することが可能となる。
【００２７】
なお、前記実施の形態では、立駐塔２の前側と後側と左側の３面に遮音壁２８を形成した例を示したが、立駐塔２の周囲の建物（居住建物Ｂ１，Ｂ２，Ｂ３）等に応じて遮音壁２８を形成する面と高さは決定すればよい。
【００２８】
また、前記実施の形態では、全て同一の遮音板２５を取付けているが、期待する遮音効果等に応じて各面に設ける遮音板２５を異ならせてもよく、遮音板２５の組合わせは前記実施の形態に限定されるものではない。
【００２９】
さらに、前述した実施の形態は一例を示しており、本発明の要旨を損なわない範囲での種々の変更は可能であり、本発明は前述した実施の形態に限定されるものではない。
【産業上の利用可能性】
【００３０】
本発明に係る鉄骨構造建物における遮音構造は、外側への突出量を増やすことなく、重量増加も抑えて効果的な遮音効果を発揮させたい鉄骨構造建物に利用できる。
【図面の簡単な説明】
【００３１】
【図１】本発明の実施の形態を示す鉄骨構造建物の正面図である。
【図２】図１に示すII−II矢視拡大断面図である。
【図３】図２に示すIII部拡大平面図である。
【図４】(a) は、図２に示す鉄骨構造建物の内面の拡大斜視図であり、(b) は、(a) のIV−IV断面図である。
【図５】(a) 〜(c) は、図２の鉄骨構造建物に設ける遮音板の例を示す拡大断面図である。
【図６】図３に示すVI部拡大平面図である。
【図７】機械式駐車装置を内蔵した鉄骨構造建物の設置例を示す全体斜視図である。
【符号の説明】
【００３２】
１…機械式駐車装置
２…立駐塔
３…梁
４…主柱
５…間柱
６…棚柱
９…胴縁
２１…外装板
２５…遮音板
２６…遮音板
２７…遮音板
２８…遮音壁
３０…嵌合部
３６…枠体
３７…縦枠体
３８…横枠体
３９…取付金具
４０…遮音構造
Ｓ…隙間
【図１】
2008297873.tif 000003
【図２】
2008297873.tif 000004
【図３】
2008297873.tif 000005
【図４】
2008297873.tif 000006
【図５】
2008297873.tif 000007
【図６】
2008297873.tif 000008
【図７】
2008297873.tif 000009